(57)【要約】      （修正有）【課題】抹茶用の茶道具を所定位置に安定的に保持すると共に、少なくとも収納箱の前面を覆う蓋体を透明素材で形成して、収納された茶道具の安定保管を図りつつ、収納箱の内部を見通せるようにした茶道具用収納箱を提供する。【解決手段】前面を開放した箱本体に、抹茶茶碗収納部、茶せん収納部、茶杓収納部、抹茶缶収納部を形成し、箱本体の前面開放部に、取り外し自在となる透明蓋体を設置した茶道具用収納箱である。【選択図】図１
0003138949.tif 000002
【実用新案登録請求の範囲】
【請求項１】
前面を開放した箱本体に、
抹茶茶碗収納部、茶せん収納部、茶杓収納部、抹茶缶収納部を形成し、前記箱本体の前面開放部に、取り外し自在となる透明蓋体を設置したことを特徴とする茶道具用収納箱。
【請求項２】
箱本体の内部に段棚を設け、この段棚と箱本体の天板間に仕切り板を設け、この段棚の一部に茶杓を挿通させるための孔部を穿設し、かつ段棚の一部に茶せんを立設保持するために差し込む突起部を突設したことを特徴とする請求項１記載の茶道具用収納箱。
【請求項３】
前記透明蓋体の表面につまみ部を形成したことを特徴とする請求項１又は２記載の茶道具用収納箱。
【請求項４】
前記箱本体の天板の上面に吊り下げ用の把手を形成したことを特徴とする請求項１乃至３のいずれかに記載の茶道具用収納箱。
【考案の詳細な説明】
【技術分野】
【０００１】
本考案は、茶道具用収納箱に係り、さらに詳しくは抹茶を楽しむための茶道具を、前面が透明の蓋体で構成される箱本体に収納し、そこに収納された茶道具を安定的に保管するとともに、収納された茶道具の状態を外部から良く見える状態にした茶道具用収納箱に関する。
【背景技術】
【０００２】
従来、抹茶を点てるための茶道具としては、抹茶茶碗、茶せん、茶杓、抹茶缶などがある。
これらの抹茶用の茶道具を家庭内で保管するときには、次回の茶道具使用時にすぐに取り出せ、かつ保管中の茶道具は安全な状態で保護する必要があるため、これらを一まとめにして収納箱に保管していた。
その収納箱としては、焼き物や花瓶などの保管箱として世の中に広く普及している堅牢な木製収納箱が利用されることが多いが、それ以外にもその木製収納箱に代えて、布製の巾着袋に茶道具を一まとめにして収納するタイプのものも知られている。
【０００３】
【特許文献１】実用新案登録第３０５３２７５号公報
【特許文献２】実用新案登録第３０５００２６号公報
【考案の開示】
【考案が解決しようとする課題】
【０００４】
上記特許文献１の収納箱は、通常の茶葉（緑茶、中国茶など）を使用するタイプの茶道具用のものであり、抹茶用の茶道具の収納箱ではないことから、抹茶で必要となる茶せんや茶杓などを収納する箇所が存在せず、さらには収納箱全体が不透明な木製又は樹脂製の箱本体で形成されていたため、収納箱の内部が見通せないという欠点があった。
【０００５】
また特許文献２の収納袋は、木製収納箱ではなく、布製の巾着袋であるため、単に巾着袋内に各茶道具を、個別に梱包して、そのまま無造作に入れることはできても、各茶道具の収納位置を安定的に保管することはできず、巾着袋内で茶道具同士がぶつかり合って破損する虞があり、さらには全体が不透明素材で形成されていたため、特許文献１と同様に内部を見通すことができないという欠点もあった。
【０００６】
本考案は、上記のすべての問題点を解消して、抹茶用の茶道具を所定位置に安定的に保持すると共に、少なくとも収納箱の前面を覆う蓋体を透明素材で形成して、収納された茶道具の安定保管を図りつつ、収納箱の内部を見通せるようにした茶道具用収納箱を提供せんとするものである。
【課題を解決するための手段】
【０００７】
上記目的を達成するために、請求項１記載の考案は、前面を開放した箱本体に、抹茶茶碗収納部、茶せん収納部、茶杓収納部、抹茶缶収納部を形成し、前記箱本体の前面開放部に、取り外し自在となる透明蓋体を設置したことを特徴とする茶道具用収納箱である。
【０００８】
請求項２記載の考案は、箱本体の内部に段棚を設け、この段棚と箱本体の天板間に仕切り板を設け、この段棚の一部に茶杓を挿通させるための孔部を穿設し、かつ段棚の一部に茶せんを立設保持するために差し込む突起部を突設したことを特徴とする請求項１記載の茶道具用収納箱である。
【０００９】
請求項３記載の考案は、前記透明蓋体の表面につまみ部を形成したことを特徴とする請求項１又は２記載の茶道具用収納箱である。
【００１０】
請求項４記載の考案は、前記箱本体の天板の上面に吊り下げ用の把手を形成したことを特徴とする請求項１乃至３のいずれかに記載の茶道具用収納箱である。
【考案の効果】
【００１１】
以上述べたように、請求項１の茶道具用収納箱によれば、箱本体の所定位置に整然と抹茶を楽しむための茶道具を収納することができ、その収納状態は安定的であり、さらに箱本体の内部は透明蓋体を通して内部が良く見える状態となっているため、茶道具セットの存在や状況の正確な確認が行え、さらにその出し入れ操作が便利で、大変使い易いという効果がある。
【００１２】
また請求項２の茶道具用収納箱によれば、箱本体の内部に段棚を設け、この段棚と箱本体の天板間に仕切り板を設け、この段棚の一部に茶杓を挿通させるための孔部を穿設し、かつ段棚の一部に茶せんを立設保持するために差し込む突起部を突設しているので、箱本体内の収納位置が効率的に整理され、茶道具の抹茶茶碗、茶せん、茶杓、抹茶缶が安定した状態で所定の位置に整然と保管できるという効果がある。
【００１３】
また請求項３の茶道具用収納箱によれば、前記透明蓋体の表面につまみ部が形成されているので、このつまみ部を指先でつまみながら透明蓋体の取り外し操作をすることが容易となる効果がある。
【００１４】
また請求項４の茶道具用収納箱によれば、前記箱本体の天板の上面に吊り下げ用の把手を形成したので、この把手を利用して箱本体全体を吊り下げて好みの場所に移動させることが容易となる効果がある。
【考案を実施するための最良の形態】
【００１５】
以下添付図面に基づいて、本考案に係る茶道具用収納箱の実施例を詳説する。
図１は本考案の茶道具用収納箱の正面図、図２は同斜視図（透明蓋体を取り外した状態）、図３は同縦断面図である。
【００１６】
本考案の茶道具用収納箱は、図１乃至図３に示すように、木目のきれいな木製の箱本体１の前面を開放状に形成し、この前面開放部には透明蓋体２が取り外し自在となるように設置される。
この透明蓋体２の表面にはつまみ部３が形成されており、透明蓋体２の取り外し操作は、このつまみ部３をつまんで行われる。
【００１７】
この透明蓋体２の取り外し操作の手順として、まず前面開放部に設置されている状態の透明蓋体２を取り外すには、つまみ部３をつまんで透明蓋体２を上方移動させて、透明蓋体２の上縁部を箱本体１の上側溝４の奥まで上昇させると、透明蓋体２の下縁部が箱本体１の下側溝５から外れる構造となっているため、その状態で透明蓋体２を手前方向に引き抜くことで取り外しが行える。一方、透明蓋体２を再度箱本体１の前面開放部にセットするには、この手順の逆の操作を行えばよい。
【００１８】
ついで、箱本体１の内部には、段棚７、仕切り板８が設けられ、段棚７の一部に茶杓１８を挿通させるための孔部８を穿設し、さらに箱本体１の底板の内側には茶杓１８の下端が収まる底穴９を穿設してある。
さらに段棚７の上面の適所には、茶せん１７を立設保持させるために差し込む突起部１０が突設されている。
【００１９】
これにより、箱本体１の内部には、抹茶茶碗収納部１１、茶せん収納部１２、茶杓収納部１３、抹茶缶収納部１４がそれぞれ確保され、各保持されるべき場所にそれぞれ抹茶茶碗１６、茶せん１７、茶杓１８、抹茶缶１９をセットすることで、各茶道具は安定保持されることになる。なお、保管される各茶道具の数は１個とは限らず、複数個を箱本体１内に保管するように変更することは自由に行える。
【００２０】
さらに本考案の箱本体１の天板の上面に吊り下げ用の把手１５を形成したので、この把手１５を利用することで、箱本体１を自由に吊り下げて好みの場所へ移動させることができる。
【産業上の利用可能性】
【００２１】
本考案に係る茶道具用収納箱は、抹茶を点てる楽しみを各家庭で気軽に行えるようになるもので、茶道具を製造販売する業界や、その茶道具を使用する人々が使用することに役立つ特徴がある。
【図面の簡単な説明】
【００２２】
【図１】本考案の茶道具用収納箱の正面図である。
【図２】同斜視図（透明蓋体を取り外した状態）である。
【図３】同縦断面図である。
【符号の説明】
【００２３】
１…箱本体
２…透明蓋体
３…つまみ部
４…上側溝
５…下側溝
６…段棚
７…仕切り板
８…孔部
９…底穴
１０…突起部
１１…抹茶茶碗収納部
１２…茶せん収納部
１３…茶杓収納部
１４…抹茶缶収納部
１５…把手
１６…抹茶茶碗
１７…茶せん
１８…茶杓
１９…抹茶缶
【図１】
0003138949.tif 000003
【図２】
0003138949.tif 000004
【図３】
0003138949.tif 000005